(57)【要約】【課題】  外胴から排出された固体物の堆積による不具合の発生を防止することが可能なスクリューデカンタ型遠心分離機を提供する。【解決手段】  スクリューデカンタ型遠心分離機１０は、所定の方向に回転する外胴１１と、外胴１１内で外胴１１と同方向に回転する内胴１２と、外胴１１を覆うケーシング１９とを備える。外胴１１には、遠心分離された固体物を排出するための排出口２５が設けられており、ケーシング１９には、排出口２５と対向する位置に、固体物の堆積を防止する堆積防止部材５５が配設されている。【選択図】    図１
2005074375.tif 000002
【特許請求の範囲】
【請求項１】
所定の方向に回転する外胴と、前記外胴内で前記外胴と同方向に回転する内胴と、前記外胴を覆うケーシングとを備えるスクリューデカンタ型遠心分離機において、
前記外胴には、遠心分離された固体物を排出するための排出口が設けられており、
前記ケーシングには、前記排出口と対向する位置に、前記固体物の堆積を防止する堆積防止部材が配設されていることを特徴とするスクリューデカンタ型遠心分離機。
【請求項２】
前記堆積防止部材は、前記排出口からの前記固体物の排出方向に対して斜めに配される面を含むことを特徴とする請求項１に記載のスクリューデカンタ型遠心分離機。
【請求項３】
前記堆積防止部材は、前記排出口と対向する位置を稜線として配されるアングル部材を含み、前記外胴の周方向にわたって延在して配設されていることを特徴とする請求項１または請求項２に記載のスクリューデカンタ型遠心分離機。
【発明の詳細な説明】
【技術分野】
【０００１】
本発明は、遠心力を利用して原液を固体分と液体分とに分離する遠心分離機に関し、特に、スクリューデカンタ型遠心分離機に関する。
【背景技術】
【０００２】
遠心分離機としては、所定の方向に回転する外胴（外胴ボウル）と、その外胴内で外胴と同方向に回転する内胴とを備えるスクリューデカンタ型遠心分離機がある（例えば、特許文献１参照）。
【０００３】
スクリューデカンタ型遠心分離機では、回転する外胴の内周面上で比重差に応じて原液が固液分離し、分離した液体及び固体物がそれぞれ回収される。なお、外胴の内周面上に沈降した固液物は、内胴の外周面に配設されたスクリュー板によって内胴の軸方向に移動された後、外胴の内部から排出されて回収される。
【特許文献１】特開平０６−０６３４５０号公報（第１図）
【発明の開示】
【発明が解決しようとする課題】
【０００４】
ところで、スクリューデカンタ型遠心分離機では、外胴の内部から排出された固体物がケーシングの内壁に付着して堆積することで、外胴の動作に不具合が生じる場合がある。すなわち、ケーシングの内壁上に堆積した固体物が大きくなり、それが外胴と接触し、外胴の回転動作の妨げとなる場合がある。
【０００５】
本発明は、上記事情に鑑みてなされたものであり、外胴から排出された固体物の堆積による不具合の発生を防止することが可能なスクリューデカンタ型遠心分離機を提供すること目的とする。
【課題を解決するための手段】
【０００６】
上記目的を達成するために、本発明は、所定の方向に回転する外胴と、前記外胴内で前記外胴と同方向に回転する内胴と、前記外胴を覆うケーシングとを備えるスクリューデカンタ型遠心分離機において、前記外胴には、遠心分離された固体物を排出するための排出口が設けられており、前記ケーシングには、前記排出口と対向する位置に、前記固体物の堆積を防止する堆積防止部材が配設されていることを特徴としている。
【０００７】
このスクリューデカンタ型遠心分離機では、堆積防止部材によってケーシングにおける固体物の堆積が防止されることから、固体物の堆積に伴う外胴の動作不具合の発生が防止される。
【０００８】
上記のスクリューデカンタ型遠心分離機においては、前記堆積防止部材が、前記排出口からの前記固体物の排出方向に対して斜めに配される面を含むとよい。これにより、固体物の移動方向が上記斜めの面によって変化し、固体物の堆積が防止される。
【０００９】
この場合、例えば、前記堆積防止部材は、前記排出口と対向する位置を稜線として配されるアングル部材を含み、前記外胴の周方向にわたって延在して配設されているとよい。これにより、アングル部材の稜線の両側に固体物が分かれて移動することから、固体物の堆積が防止される。
【発明の効果】
【００１０】
このように、本発明のスクリューデカンタ型遠心分離機によれば、堆積防止部材によってケーシングにおける固体物の堆積が防止されることから、外胴から排出された固体物の堆積による不具合の発生を防止することができる。
【発明を実施するための最良の形態】
【００１１】
以下、本発明の実施の形態例について図面を参照して説明する。
図１は、本発明に係るスクリューデカンタ型遠心分離機の実施の形態例を模式的に示す全体構成図である。本例の遠心分離機１０は、スラリー状等の原液を、比重に応じて軽液、重液、及び固体物の三相に分離する三相分離型である。なお、本発明は三相分離型に限定されず、例えば、二相分離型の遠心分離機にも好ましく適用される。
まず、遠心分離機１０の全体構成と基本動作について説明する。
【００１２】
遠心分離機１０は、回転自在に配設される円筒状の外胴ボウル１１と、外胴ボウル１１の内部かつ外胴ボウル１１と同軸上で回転自在に配設される内胴１２とを主体に構成されている。外胴ボウル１１及び内胴１２はそれぞれ不図示の駆動装置に接続されており、同一方向に所定の回転数（例えば、２０００〜６０００ｒｐｍ）で回転するようになっている。なお、両胴１１，１２の間には速度差が設けられており、内胴１２の単位時間あたりの回転数は、外胴ボウル１１よりもわずかに少なく（あるいは多く）なるように定められている。符号１５、１６は外胴ボウル１１及び内胴１２を回転自在に支持する軸受、１７は外胴ボウル１１と内胴１２との速度差を定めるためのギアボックス、１８は支持フレーム、１９は外胴ボウル１１を覆うケーシングである。
【００１３】
内胴１２の内部には、遠心分離の対象となる原液が供給される空間である原液供給室２０が設けられている。原液は、内胴１２に挿入状態に配設された原液供給管２１を介して原液供給室２０に供給され、内胴１２に設けられた放出口４１を介して内胴１２と外胴ボウル１１との間に放出される。
【００１４】
装置稼動時において、内胴１２と外胴ボウル１１との間に送られた原液は、遠心力によって外胴ボウル１１の内周面上に滞留するとともに、比重差に応じて、軽液、重液、及び固体物（ケーキ）の三相に分離する。分離された軽液及び重液は、外胴ボウル１１の一端に設けられた排出口３０，３１を介して外胴ボウル１１の内部からそれぞれ排出され、ケーシング１９に設けられた軽液出口３２及び重液出口３３にそれぞれ送られる。
【００１５】
一方、分離された固体物（ケーキ）は、軽液及び重液の排出側とは逆側である外胴ボウル１１の他端側に送られる。すなわち、内胴１２の外周面には、螺旋形状のスクリュー板１３が配設されており、外胴ボウル１１の内周面上に滞留している固体物は、内胴１２の回転に伴ってスクリュー板１３に押され、内胴１２の軸方向に沿って外胴ボウル１１の他端側に移動する。また、外胴ボウル１１の他端側では、外胴ボウル１１と内胴１２との速度差に応じてスクリュー板１３によって固体物が搬送され外胴ボウル１１の円錐部で脱水される。
【００１６】
外胴ボウル１１の他端側の周面には、外胴ボウル１１内の固体物を排出するための排出口２５が設けられている。外胴ボウル１１の他端側に運ばれた固体物は、この排出口２５を介して外胴ボウル１１の内部からケーシング１９内に排出される。ケーシング１９内に排出された固体分は重力によりケーシング１９に設けられた固体出口３４に送られる。なお、図１に示す符号５５はケーシング１９の内壁上での固体物の堆積を防止する堆積防止部材であるが、これについては後述する。
【００１７】
このように、この遠心分離機１０では、原液が軽液、重液、及び固体物に分離される。そして、それらはそれぞれ上記軽液出口３２、重液出口３３、及び固体出口３４を介して回収される。なお、上記した遠心分離に際して、必要に応じて原液に対して凝集剤が添加される。凝集剤の添加により、分離性能を高め、固体物の回収率向上を図ることが可能である。
【００１８】
次に、上記の遠心分離機１０における特徴的な部分である堆積防止部材５５について説明する。図２は遠心分離機１０における外胴ボウル１１の排出口２５付近を示す図であり、図３は堆積防止部材５５の配設状態を示す図である。
【００１９】
図２及び図３に示すように、外胴ボウル１１の周面には、周方向に互いに離間する複数の排出口２５が設けられている。ケーシング１９の内壁には、排出口２５と対向する位置、すなわち、外胴ボウル１１の軸心から排出口２５を介して径方向外方に向かう延長線上の位置に堆積防止部材５５が配設されている。
【００２０】
堆積防止部材５５は、固体物の排出口２５と対向する位置を稜線として配されるアングル部材５６と、ケーシング１９の内壁に対してアングル部材５６を支持する支持部材５７とを含んで構成されている。アングル部材５６は、外胴ボウル１１を囲うように、外胴ボウル１１の周方向にわたって延在して配設されている。アングル部材５６の稜線を形成する２つの平面部５６ａ，５６ｂはそれぞれ、排出口２５からの固体物の排出方向に対して斜めに配されている。
【００２１】
続いて、上記堆積防止部材５５の作用について説明する。
前述したように、装置稼動時において、遠心分離された固体物は外胴ボウル１１の内部から排出口２５を介してケーシング１９内に排出される。排出された固体物は、排出口２５を介して外胴ボウル１１の径方向に飛散し、ケーシング１９の内壁に向けて移動する。
【００２２】
排出口２５の対向位置には堆積防止部材５５が配設されており、排出口２５から排出された固体物は、堆積防止部材５５のアングル部材５６に衝突し、そのアングル部材５６の稜線の両側に分かれて移動する。このとき、アングル部材５６は外胴ボウル１１の周方向にわたって延在して形成されているので、外胴ボウル１１内から排出された固体物は堆積防止部材５５に確実に衝突する。また、アングル部材５６の平面部５６ａ，５６ｂは排出口２５からの固体物の排出方向に対して斜めに配されていることから、固体物はこの平面部５６ａ，５６ｂに沿って移動することで、移動方向の幅が広がって分散される。
【００２３】
固体物が分散されることにより、その多くはケーシング１９の内壁に衝突することなく重力により落下する。また、固体物がケーシング１９の内壁に衝突する場合にも、衝突時のエネルギーが小さいことなどから、ケーシング１９の内壁上への固体物の付着が抑制されるとともに、そこでの堆積が防止される。その結果、固体物の多くはケーシング１９の内壁に堆積することなく重力によって落下する。そして、落下した固体物は、ケーシング１９の下部に設けられた固体出口３４を介して回収される。
【００２４】
このように、本例の遠心分離機１０では、堆積防止部材５５によってケーシング１９の内壁上での固体物の堆積が防止される。そのため、外胴ボウル１１から排出された固体物の堆積による外胴ボウル１１の動作不具合の発生が防止される。
【００２５】
なお、堆積防止部材の形状は上記したものに限定されない。例えば、堆積防止部材と外胴ボウルとの距離を調整可能な構成としてもよい。
【００２６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００２７】
【図１】本発明に係るスクリューデカンタ型遠心分離機の実施の形態例を模式的に示す全体構成図である。
【図２】外胴ボウルの排出口付近を示す図である。
【図３】堆積防止部材の配設状態を示す図である。
【符号の説明】
【００２８】
１０…遠心分離機、１１…外胴ボウル（外胴）、１２…内胴、１３…スクリュー板、１９…ケーシング、２０…原液供給室、２１…原液供給管、２５…排出口、４１…放出口、５５…堆積防止部材、５６…アングル部材、５６ａ，５６ｂ…平面部、５７…支持部材。
【図１】
2005074375.tif 000003
【図２】
2005074375.tif 000004
【図３】
2005074375.tif 000005